(57)【特許請求の範囲】
【請求項１】
前面カバーの前面又は上面に吸込口を、この吸込口の内側に室内熱交換器を、この熱交換器の更に内側に室内送風ファンを、前記前面カバーの下部に吹出口を設けると共に、この吹出口を開閉する水平羽根を設け、暖房運転時室温と設定温度の温度差に応じて前記室内送風ファンを運転制御する室内制御装置を備え、前記制御装置からの信号によって前記水平羽根を回動するルーバーモータを備えた空気調和機に於いて、前記室内熱交換器の配管又は表面の熱交温度Ｘを感知する熱交センサと室温Ｙを感知する室温センサを備え、運転停止時の前記熱交温度Ｘが所定温度Ａ以上の時、吹出口を開口した状態で前記室内送風ファンを継続運転させ空気調和機内部の熱を器具外に放出する遅延運転を開始し、遅延運転開始後前記熱交温度Ｘと室温Ｙの差が所定値Ｂ以下になった時に室内送風ファンの運転を停止すると共に、前記吹出口を閉じるように前記ルーバーモータを駆動する遅延運転手段を備えた事を特徴とする空気調和機。
【請求項２】
前面カバーの前面又は上面に吸込口を、この吸込口の内側に室内熱交換器を、この熱交換器の更に内側に室内送風ファンを、前記前面カバーの下部に吹出口を設けると共に、この吹出口を開閉する水平羽根を設け、暖房運転時室温と設定温度の温度差に応じて前記室内送風ファンを運転制御する室内制御装置を備え、前記制御装置からの信号によって前記水平羽根を回動するルーバーモータを備えた空気調和機に於いて、前記室内熱交換器の配管又は表面の熱交温度Ｘを感知する熱交センサと室温Ｙを感知する室温センサを備え、運転停止時の前記熱交温度Ｘが所定温度Ａ以上の時、吹出口を開口した状態で前記室内送風ファンを継続運転させ空気調和機内部の熱を器具外に放出する遅延運転を開始し、遅延運転開始後前記熱交温度Ｘと室温Ｙの差が所定値Ｂ以下になった時より所定時間Ｃ後に室内送風ファンの運転を停止すると共に、前記吹出口を閉じるように前記ルーバーモータを駆動する遅延運転手段を備えた事を特徴とする空気調和機。
【発明の詳細な説明】
【０００１】
【発明の属する技術分野】
この発明は吹出空気の方向を調節する水平羽根を備えた空気調和機に関する。
【０００２】
【従来の技術】
従来よりこの種の空気調和機では、吹出口に水平羽根を備えると共にこの水平羽根を回動するルーバーモータを備え、この水平羽根を冷房運転時は水平吹出位置に自動で回動して水平吹出を行い、暖房運転時には斜め下吹出位置に自動で回動して斜め下方向に吹出を行うものであった。
また運転停止時には水平羽根にて吹出口を自動的に閉じることで運転停止時の外観意匠を向上させるものだった。
ところで暖房用の補助ヒーターや冷媒加熱装置等を備えた空気調和機では、暖房停止時に空気調和機内に熱がこもるために送風ファンの遅延運転が必要なものだった。
従来例として特許２９９３２０９号に示される様に、運転停止操作後に予め設定されている一定時間送風ファンの運転を行ってから水平羽根を閉じる事で、空気調和機内部に熱気がこもり電気部品等の温度が上昇して信頼性に問題が発生する事を防止していた。
【０００３】
【発明が解決しようとする課題】
しかしながら、この従来例のように運転停止時に常に一定時間の遅延運転を行った場合、室温の高い悪条件を元に一定時間が設定されるので、もし室温が低い状態で遅延運転が行われれば、遅延時間の最後の方では吹出口から冷風が吹き出され使用者に不快感を与える問題が有った。
またこのような冷風感が発生する事を防止するために、遅延時間を短めに設定すれば、室温の高い悪条件の時に空気調和機内部に熱気がこもり電気部品等の温度が上昇すると言う問題を完全に解消できないものでだった。
【０００４】
【課題を解決するための手段】
この発明はこの点に着目し上記欠点を解決する為、特にその構成を、前面カバーの前面又は上面に吸込口を、この吸込口の内側に室内熱交換器を、この熱交換器の更に内側に室内送風ファンを、前記前面カバーの下部に吹出口を設けると共に、この吹出口を開閉する水平羽根を設け、暖房運転時室温と設定温度の温度差に応じて前記室内送風ファンを運転制御する室内制御装置を備え、前記制御装置からの信号によって前記水平羽根を回動するルーバーモータを備えた空気調和機に於いて、前記室内熱交換器の配管又は表面の熱交温度Ｘを感知する熱交センサと室温Ｙを感知する室温センサを備え、運転停止時の前記熱交温度Ｘが所定温度Ａ以上の時、吹出口を開口した状態で前記室内送風ファンを継続運転させ空気調和機内部の熱を器具外に放出する遅延運転を開始し、遅延運転開始後前記熱交温度Ｘと室温Ｙの差が所定値Ｂ以下になった時に室内送風ファンの運転を停止すると共に、前記吹出口を閉じるように前記ルーバーモータを駆動する遅延運転手段を備えたものであり。
【０００５】
また前面カバーの前面又は上面に吸込口を、この吸込口の内側に室内熱交換器を、この熱交換器の更に内側に室内送風ファンを、前記前面カバーの下部に吹出口を設けると共に、この吹出口を開閉する水平羽根を設け、暖房運転時室温と設定温度の温度差に応じて前記室内送風ファンを運転制御する室内制御装置を備え、前記制御装置からの信号によって前記水平羽根を回動するルーバーモータを備えた空気調和機に於いて、前記室内熱交換器の配管又は表面の熱交温度Ｘを感知する熱交センサと室温Ｙを感知する室温センサを備え、運転停止時の前記熱交温度Ｘが所定温度Ａ以上の時、吹出口を開口した状態で前記室内送風ファンを継続運転させ空気調和機内部の熱を器具外に放出する遅延運転を開始し、遅延運転開始後前記熱交温度Ｘと室温Ｙの差が所定値Ｂ以下になった時より所定時間Ｃ後に室内送風ファンの運転を停止すると共に、前記吹出口を閉じるように前記ルーバーモータを駆動する遅延運転手段を備えたものである。
【０００６】
【発明の実施の形態】
暖房運転の停止時に室内熱交換器２の温度Ｘと室温Ｙの状態に応じて室内送風ファン３の遅延時間を調節する事で空気調和機内部に熱気がこもり電気部品等の温度が上昇して信頼性に問題が発生する事を防止すると共に、冷風が吹き出すことで使用者に不快感を与えるような事がなくなるものである。
【０００７】
【実施例】
以下この発明の実施例を図面をもとに説明すれば、１は空気調和機の室内ユニットで室内の壁等に設置され、内部にフィンチューブ式の室内熱交換器２とクロスフロー式の室内送風ファン３とこの室内送風ファン３を回転する室内送風モータ４とこの室内送風モータ４等に接続され室内ユニット１の運転制御を行う室内制御装置５を備え、室内空気を吸込み熱交換して室内に戻す事によって室内空気の温度調節を行うものである。
【０００８】
６は屋外に設置され前記室内ユニット１と壁等を貫通して連絡配管７によって接続される室外ユニットで、内部には圧縮機８と冷凍回路の切替をする四方弁９とフィンチューブ式の室外熱交換器１０とキャピラリーチューブ等の減圧装置１１と冷媒加熱装置１２等を備え、前記圧縮機８と四方弁９と室外熱交換器１０と減圧装置１１と前記室内熱交換器２を順次冷媒配管にて連通し冷凍回路を形成し、前記室外熱交換器１０と減圧装置１１に並列に前記冷媒加熱装置１２と二方弁１３を備えたバイパス回路１４を形成している。
【０００９】
前記四方弁９は冷房運転と暖房運転の冷凍回路を切替えるためのものであり、冷房から暖房に切替えると、前記二方弁１３が閉じられていたものが開放されると共に前記四方弁９が切替えられ前記室外熱交換器１０と減圧装置１１の間に備えた逆止弁１５の作用で室外熱交換器１０には冷媒が行かずに前記バイパス回路１４の方に冷媒が迂回し、このバイパス回路１４に設けた冷媒加熱装置１２にて灯油を燃焼し冷媒が加熱され、不足がちの暖房能力を充分に確保する事ができるものである。
【００１０】
前記冷媒加熱装置１２は内部にバイパス回路１４の冷媒が通過する加熱用熱交換器１６と燃焼バーナ１７を備え、暖房運転時に前記バーナ１７の燃焼で加熱用熱交換器１６内の冷媒を加熱し、室内ユニット１に高温の冷媒を送るものである。
【００１１】
図２にて室内ユニット１の説明をすれば、１８は本体ベースで、前記室内熱交換器２や室内送風ファン３、前部ドレンパン１９等の機能部品が取り付けられるものである。
【００１２】
前記本体ベース１８の前面には前面カバー２０を備え、この前面カバー２０の正面には横長ルーバー状の吸込口２１を、上面には上吸込口２２を設けている。２３は樹脂製の枠に同じく樹脂製の網を溶着して成形されたフィルタで、前記吸込口２１・上吸込口２２の内側に設けられ、吸込空気中のゴミを捕獲するものである。
前記本体ベース１８の中央やや上部には後部ドレンパン２４を、中央から下方にファンケース２５を一体に形成している。
【００１３】
前記室内熱交換器２は横長のフィンチューブ式の熱交換器で、前面中央より上面にかけて効率を上げるために前記室内送風ファン３を囲むように４段階に屈曲し、後ろ側は後部ドレンパン２４から前方へ向かって斜め上方向に逆Ｖ字形に位置し、これに続いて前方の中央やや下部の前部ドレンパン１９まで順次連なるものである。
また前記前部ドレンパン１９は冷房運転時、前面側の前記熱交換器２で発生した結露水を受けるもので左右に設けた脚（図示せず）によって本体ベース１８に取り付けられる。
【００１４】
また前部ドレンパン１９の下方には吹出口２６が設けられ、この吹出口２６には上下方向の風向をコントロールする水平羽根２７と左右方向の風向をコントロールする左右風向板２８を設けている。
前記水平羽根２７は横長扁平の樹脂板の左右と中央に回動軸２９を設け、ルーバーモータ３０により水平羽根２７の角度を変えることで吹出風の上下方向を好みの方向に向けるもので、一般に冷房運転時には水平方向に暖房運転時には下方に向けて運転するものであり、運転停止時には自動的に吹出口２６を蓋状に閉じる事で室内ユニット１の外観デザインをスッキリと向上させるものである。
【００１５】
前記左右風向板２８はファンケース２５の下端に取り付けられ吹出風の左右方向を手動により好みの方向に向けることができるものである。
前記室内送風ファン３は本体ベース１８のファンケース２５の前方と前部ドレンパン１９の背面との間に適宜間隔を保って位置するもので、前記前面カバー２０の側部に備えた室内送風モータ３によって駆動される。
【００１６】
３１は前記吸込口２１と室内熱交換器２の間に設けた室温センサで、吸込空気の温度を検知するものである。
３２は前記室内熱交換器２を構成する銅管やフィンの内部の温度を検知する熱交センサ。
【００１７】
図３のブロック図にて制御回路の説明をすれば、３３は前記室外ユニット６内に備えられた室外制御装置で、前記室内制御装置５と連絡電線３４にて接続されるものである。
前記室内制御装置５の入力側には、前記室温センサ３１や熱交センサ３２とリモコン等の操作部（図示せず）からの信号を伝達する入力部３５等が接続され、出力側には前記室内送風ファン３を駆動する室内送風モータ４や水平羽根２７を回動するため正逆回転自在のステップモータから成るルーバーモータ３０やランプ等の表示装置が接続されている。
【００１８】
前記室外制御装置３３の入力側には、外気温センサ（図示せず）等のセンサー類３６や前記圧縮機８の電流センサが接続され、出力側には前記圧縮機８を駆動するインバータ装置３７や前記冷媒加熱装置１２の燃焼バーナ１７や、室外送風ファン３８を駆動する室外送風モータ３９や、前記四方弁９、二方弁１３等に接続されている。
【００１９】
４０は前記室内制御装置５の中に設けられた遅延運転制御部で、暖房運転停止時に前記室温センサ３１や熱交センサ３２の値に応じて室内送風モータ４の遅延運転を行う遅延運転制御手段である。
４１は前記室内制御装置５の中に設けられた計時部で、前記遅延運転制御部３９からの信号を受けて時間を計測するタイマーである。
【００２０】
図４のフローチャートによって遅延運転の制御を詳しく説明すれば、まずＳ１にて暖房運転中リモコン等から前記入力部３５を経由して室内制御部５へ停止の信号が発せられれば、遅延運転制御部４０にて遅延運転制御が開始され、室内送風ファン３は継続運転し、熱交温度Ｘが読み込まれる。（Ｓ２）
【００２１】
次にＳ３にて運転開始後あまり時間が経過していない場合等や何らかの理由で室温が低い場合、熱交温度Ｘが所定温度Ａ（この実施例では約３３℃）以下の場合（運転開始後あまり時間が経過していない時等や何らかの理由で室温が低い時）は、Ｓ６に進み遅延運転制御を終了し、室内送風ファン３は停止し、ルーバーモータ３０が回転して水平羽根２７が停止位置へ回動し空気調和機は全停止する。
【００２２】
Ｓ３にて熱交温度Ｘが所定温度Ａ（この実施例では約３３℃）以上の場合は、Ｓ４に進み現在の室温Ｙを読込み、Ｓ５にて熱交温度Ｘと室温Ｙの差が所定値Ｂ（この実施例では５度）以下かを判断し、所定値Ｂ以下になった時にＳ６に進み、遅延運転制御を終了し、室内送風ファン３は停止し、ルーバーモータ３０が回転して水平羽根２７が停止位置へ回動し空気調和機は全停止する。
【００２３】
このように室内熱交換器２の温度Ｘと室温Ｙの状態に応じて室内送風ファン３の遅延時間を調節する事で空気調和機内部に熱気がこもり電気部品等の温度が上昇して信頼性に問題が発生する事を防止すると共に、冷風が吹き出すことで使用者に不快感を与えるような事がなくなるものである。
【００２４】
図５に示す他の実施例のフローチャートを説明すれば、Ｓ１からＳ６のステップは図４のフローチャートと同じ内容のため、同じ符号を使用した、よって前半の説明を省きＳ５より説明する。
【００２５】
Ｓ５にて熱交温度Ｘと室温Ｙの差が所定値Ｂ（この実施例では５度）以下かを判断し、所定値Ｂ以下になった時にＳ７に進み、計時部４０にてタイマＴがスタートし、Ｓ８にて時間が経過し、タイマ時間Ｔが所定時間Ｃ（この実施例では３分間）以上となった時にＳ６に進み、遅延運転制御を終了し、室内送風ファン３は停止し、ルーバーモータ３０が回転して水平羽根２７が停止位置へ回動し空気調和機は全停止する。
【００２６】
このように室内熱交換器２の温度Ｘと室温Ｙの状態に応じて室内送風ファン３の遅延時間を調節するだけでなく、更に熱交温度Ｘと室温Ｙの差が所定値Ｂに到達後も、所定時間Ｃを遅延時間に付け加える事で、空気調和機内部に熱気がこもり電気部品等の温度が上昇して信頼性に問題が発生する事を防止すると共に、冷風が吹き出すことで使用者に不快感を与えるような事がなくするために、所定値Ｂと所定時間Ｃの値を調整する事で快適性が更に向上するものである。
【００２７】
【発明の効果】
以上のようにこの発明によれば、空気調和機内部に熱気がこもり電気部品等の温度が上昇して信頼性に問題が発生する事を防止すると共に、冷風が吹き出すことで使用者に不快感を与えるような事がないものである。
また、運転停止時には自動的に吹出口を水平羽根にて蓋状に閉じる事で室内ユニットの外観デザインをスッキリと向上させるものである。
【図面の簡単な説明】
【図１】この発明一実施例の冷凍回路の説明図。
【図２】同側面の断面図。
【図３】同要部のブロック図。
【図４】同フローチャート図。
【図５】他の実施例のフローチャート図
【符号の説明】
２  室内熱交換器
３  室内送風ファン
５  室内制御装置
２６  吹出口
２７  水平羽根
３０  ルーバーモータ
３１  室温センサ
３２  熱交センサ
４０  遅延運転制御部
【図１】
0003980892.tif 000002
【図２】
0003980892.tif 000003
【図３】
0003980892.tif 000004
【図４】
0003980892.tif 000005
【図５】
0003980892.tif 000006